(57)【要約】【課題】ランダムアクセス可能な記録媒体に対してＣＭ一本化を行い、必要に応じてこの記録媒体からＣＭ一本化素材を再生することが可能なＣＭ一本化システム及びＣＭ一本化方法を提供する。【解決手段】ＣＭ一本化を行う際に、一日分のＣＭ素材を放送順序に従ってノンリニアサーバ１１へ記録すると共に、ＣＭ枠毎に一時停止を示すＱ３信号又は再生終了を示すＱ４信号を挿入する。そして、ＣＭ一本化を行ったＣＭ素材をノンリニアサーバ１１から再生する際には、挿入されている枠データをアンシラリデータ分離部１９で分離抽出し、抽出した枠データの内容に応じてノンリニアサーバ１１からのＣＭ素材の再生を制御する。【選択図】      図１
2010219721.tif 000002
【特許請求の範囲】
【請求項１】
複数のＣＭ（Commercial Message）素材を管理し、放送予定に基づいた順序で、一日に放送されるＣＭ素材を順次送出する素材サーバと、
前記放送予定に従った制御コードを含むアンシラリデータを、前記素材サーバから送出された一日分のＣＭ素材における指定の位置に順次挿入するアンシラリデータ挿入部と、
ランダムアクセス可能な記録媒体を備え、前記素材サーバから送出された一日分のＣＭ素材及び前記アンシラリデータ挿入部により挿入されたアンシラリデータを前記記録媒体に記録し、再生制御に従って前記記録された一日分のＣＭ素材及びアンシラリデータを再生するノンリニアサーバと、
前記ノンリニアサーバから再生された一日分のＣＭ素材及びアンシラリデータのうち、前記アンシラリデータを分離して前記一日分のＣＭ素材を後段へ送出するものであり、前記分離したアンシラリデータに含まれる制御コードを抽出するアンシラリデータ分離部と、
前記アンシラリデータ分離部で抽出された制御コードに基づいて、前記ノンリニアサーバからの一日分のＣＭ素材及びアンシラリデータの再生を制御する再生制御手段と
を具備することを特徴とするＣＭ一本化システム。
【請求項２】
前記放送予定には、ＣＭ素材の放送停止及びＣＭ素材の放送終了のタイミングが含まれ、
前記アンシラリデータ挿入部は、前記放送停止を示す局間制御信号又は前記放送終了を示す局間制御信号を含む前記アンシラリデータを、必要に応じたタイミングで前記素材サーバから送出された一日分のＣＭ素材に順次挿入することを特徴とする請求項１記載のＣＭ一本化システム。
【請求項３】
前記アンシラリデータ挿入部は、前記素材サーバから送出された一日分のＣＭ素材のうち、一連の連続したＣＭ素材群毎に前記アンシラリデータを挿入することを特徴とする請求項１記載のＣＭ一本化システム。
【請求項４】
更新された放送予定を受け取り、当該更新後の放送予定と更新前の放送予定とを比較し、変更のあった範囲におけるＣＭ素材を、前記ノンリニアサーバに記録された一日分のＣＭ素材における対応した範囲のＣＭ素材と差し替える編集制御手段をさらに具備することを特徴とする請求項１記載のＣＭ一本化システム。
【請求項５】
操作者からの指示を入力するための操作端末をさらに具備し、
前記アンシラリデータ挿入部は、前記素材サーバから送出された一日分のＣＭ素材のうち、一連の連続したＣＭ素材群毎に前記ＣＭ素材群毎のＩＤをさらに含んだアンシラリデータを挿入し、
前記アンシラリデータ分離部は、前記アンシラリデータに含まれたＩＤを抽出し、
前記再生制御手段は、前記抽出されたＩＤに基づいて、前記ノンリニアサーバに記録された一日分のＣＭ素材の再生位置を前記操作端末へ通知することを特徴とする請求項１記載のＣＭ一本化システム。
【請求項６】
前記アンシラリデータ挿入部は、前記ＣＭ素材群毎のＩＤを前記アンシラリデータにおけるユーザ領域に記載することを特徴とする請求項５記載のＣＭ一本化システム。
【請求項７】
複数のＣＭ（Commercial Message）素材を管理し、放送予定に基づいた順序で、一日に放送されるＣＭ素材を順次送出し、
前記放送予定に従った制御コードを含むアンシラリデータを、前記順次送出される一日分のＣＭ素材における指定の位置に順次挿入し、
ランダムアクセス可能な記録媒体へ、前記一日分のＣＭ素材及び当該ＣＭ素材に挿入されたアンシラリデータを記録し、
再生制御に従って前記記録した一日分のＣＭ素材及びアンシラリデータを再生し、
前記再生した一日分のＣＭ素材及びアンシラリデータのうち、前記アンシラリデータを分離して前記一日分のＣＭ素材を後段へ送出し、
前記分離したアンシラリデータに含まれる制御コードを抽出し、
前記抽出した前記制御コードに基づいて、前記一日分のＣＭ素材及びアンシラリデータの再生を制御することを特徴とするＣＭ一本化方法。
【請求項８】
前記放送予定には、ＣＭ素材の放送停止及びＣＭ素材の放送終了のタイミングが含まれ、
前記アンシラリデータは、前記放送停止を示す局間制御信号又は前記放送終了を示す局間制御信号を含み、必要に応じたタイミングで前記一日分のＣＭ素材に順次挿入されることを特徴とする請求項７記載のＣＭ一本化方法。
【発明の詳細な説明】
【技術分野】
【０００１】
この発明は、ＣＭ素材を一本化し、必要に応じてこれを読み出すＣＭ一本化システム及びこのシステムに用いられるＣＭ一本化方法に関する。
【背景技術】
【０００２】
放送局において、一日分の送出順序が記載されたプレイリストに従って、放送前にＣＭ素材をビデオテープに記録しておくことをＣＭ一本化という。ＣＭ一本化では、テープにＣＭ素材を記録すると共に、一連の連続したＣＭ素材群（以下ではＣＭ枠と称する）毎に一時停止位置を記録する。
【０００３】
ＣＭ一本化されたテープの再生は、再生装置により行われる。テープの再生装置は、外部制御機器から再生指示が入力されると、テープに記録されたＣＭ素材の読み出しを開始する。再生装置は、テープの再生中にＣＭ枠毎に記録された一時停止位置を検知すると、テープに記録されたＣＭ素材の読み出しを停止する。再生装置は、一時停止中に外部制御機器から再生指示が与えられると、停止位置からテープに記録されたＣＭ素材を再生する。このように、再生装置は、テープに記録された一時停止位置を検知する度にＣＭ素材の読み出しを自動的に停止し、外部制御機器からの再生指示を受けると、停止位置からＣＭ素材の読み出しを再開するようになっている。
【０００４】
ところで、従来のＣＭ一本化では、ＣＭ素材は、リニア記録媒体であるビデオテープに記録されるため、テープに記録されたＣＭ素材を再生している最中に、そのテープに記録されたＣＭ素材の編集をすることは不可能であった。このため、例えば、同一内容の一本化テープを２本用意しておき、テープの再生中にＣＭ素材を編集する必要が発生した場合には、再生されていない他方のテープを編集するようにしていた。
【０００５】
しかしながら、ビデオテープは高価であること、及び、放送前にＣＭ素材を編集する必要が生じた場合には用意した複数本のテープを編集しなければならないこと等により、ＣＭ一本化の運用コストは高く、ＣＭ一本化を管理する負荷は重くなっていた。また、テープでは、特定のＣＭ素材の頭出しや、ＣＭ素材中の任意の箇所を再生する場合等に、テープの早送り処理又は巻き戻し処理をしなければならず、作業効率が悪いという問題があった。
【０００６】
なお、映像、音声等の放送用素材をランダムアクセス可能な記憶媒体を用いた素材蓄積手段に格納し、プレイリストを参照してこの素材蓄積手段から放送用素材を効率的に再生する技術が提案されている（例えば、特許文献１参照）。
【先行技術文献】
【特許文献】
【０００７】
【特許文献１】特開２００１−１６５４９号公報
【発明の概要】
【発明が解決しようとする課題】
【０００８】
以上のように、従来のＣＭ一本化では、リニア記録媒体であるビデオテープを使用していたため、テープに記録されたＣＭ素材の再生と同時にＣＭ素材の編集を行う際には、複数本のバックアップテープを用意なければならず、不便であった。また、希望の位置からＣＭ素材を再生しようとする場合、頭出しに時間がかかるという問題があった。
【０００９】
この発明は上記事情によりなされたもので、その目的は、ランダムアクセス可能な記録媒体にＣＭ一本化を行い、必要に応じてこの記録媒体からＣＭ一本化素材を再生することが可能なＣＭ一本化システム及びＣＭ一本化方法を提供することにある。
【課題を解決するための手段】
【００１０】
上記目的を達成するため、本発明に係るＣＭ一本化システムは、複数のＣＭ（Commercial Message）素材を管理し、放送予定に基づいた順序で、一日に放送されるＣＭ素材を順次送出する素材サーバと、前記放送予定に従った制御コードを含むアンシラリデータを、前記素材サーバから送出された一日分のＣＭ素材における指定の位置に順次挿入するアンシラリデータ挿入部と、ランダムアクセス可能な記録媒体を備え、前記素材サーバから送出された一日分のＣＭ素材及び前記アンシラリデータ挿入部により挿入されたアンシラリデータを前記記録媒体に記録し、再生制御に従って前記記録された一日分のＣＭ素材及びアンシラリデータを再生するノンリニアサーバと、前記ノンリニアサーバから再生された一日分のＣＭ素材及びアンシラリデータのうち、前記アンシラリデータを分離して前記一日分のＣＭ素材を後段へ送出するものであり、前記分離したアンシラリデータに含まれる制御コードを抽出するアンシラリデータ分離部と、前記アンシラリデータ分離部で抽出された制御コードに基づいて、前記ノンリニアサーバからの一日分のＣＭ素材及びアンシラリデータの再生を制御する再生制御手段とを具備する。
【００１１】
また、本発明に係るＣＭ一本化方法は、複数のＣＭ（Commercial Message）素材を管理し、放送予定に基づいた順序で、一日に放送されるＣＭ素材を順次送出し、前記放送予定に従った制御コードを含むアンシラリデータを、前記順次送出される一日分のＣＭ素材における指定の位置に順次挿入し、ランダムアクセス可能な記録媒体へ、前記一日分のＣＭ素材及び当該ＣＭ素材に挿入されたアンシラリデータを記録し、再生制御に従って前記記録した一日分のＣＭ素材及びアンシラリデータを再生し、前記再生した一日分のＣＭ素材及びアンシラリデータのうち、前記アンシラリデータを分離して前記一日分のＣＭ素材を後段へ送出し、前記分離したアンシラリデータに含まれる制御コードを抽出し、前記抽出した前記制御コードに基づいて、前記一日分のＣＭ素材及びアンシラリデータの再生を制御することを特徴とする。
【００１２】
上記構成によるＣＭ一本化システム及びＣＭ一本化方法では、ＣＭ一本化を行う際に、一日分のＣＭ素材を放送順序に従ってノンリニアサーバへ記録すると共に、所定のＣＭ素材毎に制御コードを含んだアンシラリデータを挿入する。そして、ＣＭ一本化を行ったＣＭ素材をノンリニアサーバから再生する際には、挿入されているアンシラリデータをアンシラリデータ分離部で分離抽出し、抽出したアンシラリデータに含まれる制御コードの内容に応じてノンリニアサーバからのＣＭ素材の再生を制御する。これにより、ＣＭ一本化をしたビデオテープからＣＭ一本化素材を再生するのと同様に、ＣＭ一本化を行ったノンリニアサーバからもＣＭ一本化素材を再生することが可能となる。
【発明の効果】
【００１３】
この発明によれば、ランダムアクセス可能な記録媒体に対してＣＭ一本化を行い、必要に応じてこの記録媒体からＣＭ一本化素材を再生することが可能なＣＭ一本化システム及びＣＭ一本化方法を提供することができる。
【図面の簡単な説明】
【００１４】
【図１】本発明の一実施形態に係るＣＭ一本化システムの機能構成を示すブロック図である。
【図２】図１のＣＭ一本化システムがＣＭ一本化を行い、ノンリニアサーバにＣＭ素材を記録する際の図である。
【図３】図１のＣＭ一本化システムがＣＭ一本化を行い、ノンリニアサーバにＣＭ素材を記録する際のシーケンス図である。
【図４】図１のＣＭ一本化システムがノンリニアサーバに記録されたＣＭ素材を再生する際の図である。
【図５】図１のＣＭ一本化システムがノンリニアサーバに記録されたＣＭ素材を再生する際のシーケンス図である。
【図６】図１のＣＭ一本化システムがノンリニアサーバに記録されるＣＭ一本化素材を編集する際の図である。
【図７】図１のＣＭ一本化システムがノンリニアサーバに記録されるＣＭ一本化素材を編集する際のシーケンス図である。
【発明を実施するための形態】
【００１５】
以下、図面を参照しながら本発明に係るＣＭ一本化システムの実施の形態について詳細に説明する。
【００１６】
図１は、本発明の一実施形態に係るＣＭ一本化システム１０の機能構成を示すブロック図である。図１におけるＣＭ一本化システム１０は、営業放送Ｅｔｈｅｒｎｅｔ（登録商標）−ＬＡＮにより営業放送システム２０と接続される。営業放送システム２０は、例えば複数の一本化データをＣＭ一本化システム１０へ供給する。ここで、一本化データとは、一日に放送されるＣＭ素材の名称と、そのＣＭ素材の放送順序と、放送時刻と、放送停止及び放送終了のタイミング等とを含んだデータのことを言う。ＣＭ一本化システム１０は、受け取った一本化データに従って、システム内に設置されたランダムアクセス可能なノンリニアサーバ１１にＣＭ一本化を行い、ＣＭ一本化が完了した一本化データを営業放送システム２０へ通知する。
【００１７】
また、ＣＭ一本化システム１０は、送出Ｓｅｃｎｅｔ−ＬＡＮによりコアシステム３０と接続される。コアシステム３０は、ＣＭ一本化システム１０に対して、ＣＭ素材の送出を指示する。ＣＭ一本化システム１０は、コアシステム３０からの指示に応じてノンリニアサーバ１１に記録されたＣＭ素材をコアシステム３０へ送出する。
【００１８】
本発明において、ＣＭ一本化とは、放送前に一日に放送されるＣＭ素材をその放送順にノンリニアサーバ１１へ記録しておくことをいう。この際、一本化データにおける一連の連続したＣＭ素材群毎に、ＣＭ素材の再生停止又は再生終了を実行するためのアンシラリデータが挿入される。以下では、一本化データにおける一連の連続したＣＭ素材群をＣＭ枠と称し、ＣＭ枠毎に挿入されるアンシラリデータを枠データと称する。枠データには、ＣＭ枠を識別するための枠ＩＤも含まれる。また、ＣＭ一本化が完了してノンリニアサーバに記録されている一日分のＣＭ素材をロールと称する。
【００１９】
上記ＣＭ一本化システム１０は、営業放送システム２０と営業放送Ｅｔｈｅｒｎｅｔ−ＬＡＮを介して接続される制御ＣＰＵ（Central Processing Unit）１２を具備する。制御ＣＰＵ１２には、ローカルＥｔｈｅｒｎｅｔ−ＬＡＮを介して一本化端末１３が接続される。また、制御ＣＰＵ１２には、データＳｅｃｎｅｔ−ＬＡＮ及び制御Ｅｔｈｅｒｎｅｔ−ＬＡＮを介してＣＭ素材サーバ装置１４が接続され、制御Ｅｔｈｅｒｎｅｔ−ＬＡＮを介してアンシラリデータ挿入部１５、識別子付加制御（ＴＧ）ノード１６、記録制御ノード１７、送出制御ノード１８及びアンシラリデータ分離部１９が接続される。
【００２０】
識別子付加制御ノード１６には、シリアル回線を介して識別子付加部（ＴＧ）１１０が接続される。記録制御ノード１７及び送出制御ノード１８には、ランダムアクセス可能な記録媒体を用いたノンリニアサーバ１１がシリアル回線を介して接続される。また、送出制御ノード１８は、送出Ｓｅｃｎｅｔ−ＬＡＮを介してコアシステム３０と接続している。
【００２１】
制御ＣＰＵ１２は、営業放送Ｅｔｈｅｒｎｅｔ−ＬＡＮを介して営業放送システム２０から一本化データを受け取る。制御ＣＰＵ１２は、一本化状況データベースを備えており、この一本化状況データベースに一本化データを記録する。制御ＣＰＵ１２は、後述する一本化端末１３により一本化データが選択され、一本化端末１３からその一本化データに対してＣＭ一本化を開始する旨の一本化開始指示を受けると、一本化データにおけるＣＭ枠単位でＣＭ一本化を行うように、ＣＭ素材サーバ装置１４のアンシラリデータ挿入部１５、識別子付加制御ノード１６及び記録制御ノード１７に対する制御を予約する。
【００２２】
制御ＣＰＵ１２は、一本化端末１３により選択された一本化データのＣＭ一本化が完了するまで、ＣＭ枠単位でのＣＭ一本化を繰り返す。制御ＣＰＵ１２は、選択された一本化データのＣＭ一本化が完了すると、完了した一本化データを営業放送システム２０へ送出する。
【００２３】
また、制御ＣＰＵ１２は、一本化端末１３から一本化状況データベースを更新する旨の指示を受けた場合、ＣＭ一本化が完了したＣＭ枠を識別表示するように、一本化状況データベースにおける一本化データを更新する。
【００２４】
また、制御ＣＰＵ１２は、営業放送システム２０から放送内容が変更された一本化データを受け取ると、従前の一本化データと比較し、変更があった部分を判断する。制御ＣＰＵ１２は、変更があった部分を一本化端末１３に通知する。そして、制御ＣＰＵ１２は、一本化端末１３から、ノンリニアサーバ１１に記録されるＣＭ素材の一部を新たな一本化データに則して修正する旨の指示があった場合、新たなＣＭ素材をノンリニアサーバ１１に記録されているＣＭ素材と入れ換えるようにＣＭ素材サーバ装置１４による制御の予約をする。
【００２５】
ＣＭ素材サーバ装置１４は、複数のＣＭ素材を格納する。また、ＣＭ素材サーバ装置１４は、アンシラリデータ挿入部１５、識別子付加制御ノード１６及び記録制御ノード１７に対して制御を行うものであり、制御ＣＰＵ１２により制御の予約を受けると、その予約に従い、これらの制御を実行する。
【００２６】
すなわち、ＣＭ素材サーバ装置１４は、制御ＣＰＵ１２からの予約に従って、一本化データに記載されたＣＭ素材を放送順序通りに送出する。また、ＣＭ素材サーバ装置１４は、制御ＣＰＵ１２からの予約に従って、アンシラリデータ挿入部１５に対して、ＣＭ枠毎に適当な枠データを挿入するように制御する。また、ＣＭ素材サーバ装置１４は、制御ＣＰＵ１２からの予約に従って、識別子付加制御ノード１６に対して、各ＣＭ素材へ識別子を付与するように制御する。また、ＣＭ素材サーバ装置１４は、制御ＣＰＵ１２からの予約に従って、記録制御ノード１７に対して、ＣＭ枠及び枠データを順次ノンリニアサーバ１１へ記録するように制御する。
【００２７】
また、ＣＭ素材サーバ装置１４は、ＣＭ枠のＣＭ一本化が完了すると、一本化端末１３へＣＭ一本化の実行状況を通知する。
【００２８】
アンシラリデータ挿入部１５は、ＣＭ素材サーバ装置１４の制御により、ＣＭ枠毎に枠データを挿入する。具体的には、ＣＭ素材の再生を一時的に停止させる必要がある場合には、アンシラリデータにおける局間制御信号であるＱ３信号を挿入する。また、ＣＭ素材の再生を終了させる必要がある場合には、アンシラリデータにおける局間制御信号であるＱ４信号を挿入する。また、アンシラリデータ挿入部１５は、ＣＭ枠を識別するための枠ＩＤを、アンシラリデータにおけるユーザデータに書き込む。
【００２９】
識別子付加制御ノード１６は、ＣＭ素材サーバ装置１４の制御により、ＣＭ素材に識別子を付与するように識別子付加部１１０を制御する。識別子付加部１１０は、識別子付加制御ノード１６の制御に基づいて、ＣＭ素材サーバ装置１４からの各ＣＭ素材に識別子を付与する。
【００３０】
記録制御ノード１７は、ＣＭ素材サーバ装置１４の制御により、識別子が付与されて枠データが挿入されたＣＭ素材をノンリニアサーバ１１へ記録する。これにより、一本化データにおける一つのＣＭ枠のＣＭ一本化が完了する。
【００３１】
送出制御ノード１８は、後述する一本化端末１３により送出対称となるロールが選択され、一本化端末１３からそのロールに対するスタンバイ指示を受けると、ノンリニアサーバ１１に対して指定されたロールのスタンバイ制御を行う。送出制御ノード１８は、コアシステム３０からＣＭ素材を再生する旨の指示を受けると、スタンバイ制御したロールの再生をノンリニアサーバ１１に開始させる。
【００３２】
また、送出制御ノード１８は、後述するアンシラリデータ分離部１９から、所定の枠データを検出した旨の指示を受けると、検出された枠データに応じた処理をノンリニアサーバ１１に対して行う。具体的には、アンシラリデータ分離部１９でストップ指示を示すＱ３信号が検出された場合、送出制御ノード１８は、ノンリニアサーバ１１からのＣＭ素材の再生を停止する。また、アンシラリデータ分離部１９でエンド指示を示すＱ４が検出された場合、送出制御ノード１８は、再生処理を終了させる。送出制御ノード１８は、再生処理を終了させると、その旨を制御ＣＰＵ１２へ通知する。制御ＣＰＵ１２は、その旨を受けると、再生が終了したロールの次のロールをスタンバイするように、送出制御ノード１８へスタンバイ指示を与える。また、アンシラリデータ分離部１９で枠ＩＤが検出された場合、送出制御ノード１８は、制御ＣＰＵ１２へその枠ＩＤを通知する。制御ＣＰＵ１２は、枠ＩＤの通知を受けると、いずれのＣＭ枠が再生中なのかを一本化端末１３に通知する。
【００３３】
アンシラリデータ分離部１９は、ノンリニアサーバ１１から再生されるＣＭ素材及び枠データを受け取り、枠データを分離抽出する。そして、アンシラリデータ分離部１９は、枠データに含まれる制御コードを検出し、検出された制御コードを送出制御ノード１８へ通知する。アンシラリデータ分離部１９で枠データが分離抽出されたＣＭ素材は、コアシステム３０へ送出される。
【００３４】
一本化端末１３は、ＣＭ一本化を行うユーザが指示を入力するためのものである。一本化端末１３には表示モニタが備えられており、表示モニタには、一本化状況データベースに記録された複数の一本化データの一覧が表示される。
【００３５】
一本化端末１３のユーザは、この一本化データ一覧を参照し、一本化処理が実行されていない所定の一本化データを選択し、制御ＣＰＵ１２に対して選択した一本化データの一本化開始指示を入力することができる。また、一本化端末１３のユーザは、一本化データ一覧を参照し、一本化処理が完了したロールを選択し、選択したロールのスタンバイ指示を送出制御ノード１８へ入力することができる。さらに、一本化端末１３のユーザは、制御ＣＰＵ１２から一本化データにおける変更部分に関する通知を受けた場合、制御ＣＰＵ１２に対して編集指示を与えることができる。この際、ノンリニアサーバ１１に記録されたロールを編集するように、ノンリニアサーバ１１に記録されたＣＭ素材の一部を新たな一本化データに則して修正する旨の指示を入力することができる。
【００３６】
次に、上記構成におけるＣＭ一本化システム１０の動作を説明する。図２及び図３は、ＣＭ一本化システム１０が、ＣＭ一本化を行い、ノンリニアサーバ１１にＣＭ素材を記録する際の図を示す。図２は各構成要素間の信号の流れを示す模式図であり、図３はその際のシーケンス図である。
【００３７】
まず、制御ＣＰＵ１２は、営業放送システム２０から複数の一本化データを受け取り（ステップ３１）、一本化状況データベースへ記録する。一本化端末のユーザは、一本化状況データベースにおける一本化データ一覧を参照し、一本化処理が実行されていない一本化データを選択し、制御ＣＰＵ１２に対して一本化開始指示を入力する（ステップ３２）。制御ＣＰＵ１２は、一本化開始指示を受けると、一本化データにおける作業予定分のＣＭ一本化を行うように、ＣＭ素材サーバ装置１４に対して作業予定分の全ての制御の予約をＣＭ枠単位で行う（ステップ３３）。
【００３８】
ＣＭ素材サーバ装置１４は、制御ＣＰＵ１２の予約に従って、アンシラリデータ挿入部１５に枠データをＣＭ枠毎に挿入させ（ステップ３４）、識別子付加制御ノード１６に各ＣＭ素材へ識別子を付与させ（ステップ３５）、記録制御ノード１７に識別子が付与されたＣＭ素材及び枠データをノンリニアサーバ１１へ記録させる（ステップ３６）。これにより、一本化データにおける一つのＣＭ枠のＣＭ一本化が行われることとなる。
【００３９】
ＣＭ素材サーバ装置１４は、一つのＣＭ枠のＣＭ一本化が完了すると、一本化端末１３へＣＭ一本化の実行状況を通知する（ステップ３７）。一本化端末１３は、ＣＭ素材サーバ装置１４からの通知を受けると、制御ＣＰＵ１２の一本化状況データベースを更新させる（ステップ３８）。
【００４０】
続いて、ＣＭ素材サーバ装置１４は、制御ＣＰＵ１２からの次の予約に従って、アンシラリデータ挿入部１５にＣＭ枠毎に枠データを挿入させ（ステップ３９）、識別子付加制御ノード１６に各ＣＭ素材へ識別子を付与させ（ステップ３１０）、記録制御ノード１７に識別子が付与されたＣＭ素材及び枠データをノンリニアサーバ１１へ記録させる（ステップ３１１）。これにより、次のＣＭ枠のＣＭ一本化が行われることとなる。
【００４１】
ＣＭ素材サーバ装置１４は、一本化端末１３へＣＭ一本化の実行状況を通知する（ステップ３１２）。一本化端末１３は、ＣＭ素材サーバ装置１４からの通知を受けると、制御ＣＰＵ１２の一本化状況データベースを更新させる（ステップ３１３）。ＣＭ一本化システム１０は、ステップ３９からステップ３１３の処理を、制御ＣＰＵ１２により予約された作業予定分の制御が完了するまで繰り返す。営業放送システム２０からの一本化データにおける作業予定分のＣＭ一本化が完了した場合、処理が完了した一本化データを営業放送システムへ送出する（ステップ３１４）。
【００４２】
図４及び図５は、ＣＭ一本化システム１０が、ノンリニアサーバ１１に記録されたＣＭ素材を再生する際の図を示す。図４は各構成要素間の信号の流れを示す模式図であり、図５はその際のシーケンス図である。
【００４３】
まず、一本化端末１３のユーザは、一本化状況データベースにおける一本化データ一覧を参照し（ステップ５１）、ＣＭ一本化が完了されているロールを選択し、選択したロールのスタンバイ指示を入力する（ステップ５２）。送出制御ノード１８は、指定ロールのスタンバイ指示が入力されると、ノンリニアサーバ１１に記録される指定ロールの先頭へのスタンバイ制御を行う（ステップ５３）。送出制御ノード１８は、コアシステム３０からＣＭ素材を再生する旨の指示が与えられると（ステップ５４）、ノンリニアサーバ１１からスタンバイ制御した指定ロールを再生させる（ステップ５５）。
【００４４】
アンシラリデータ分離部１９は、ノンリニアサーバ１１からロールが再生されると、枠データの分離抽出を行う。アンシラリデータ分離部１９は、枠データに書き込まれている枠ＩＤを検知すると、検知した枠ＩＤを送出制御ノード１８へ通知する（ステップ５６）。送出制御ノード１８は、枠ＩＤを受け取ると、その枠ＩＤを送出制御ノード１８内部のメモリに記憶し、受け取った枠ＩＤを制御ＣＰＵ１２へ転送する（ステップ５７）。制御ＣＰＵ１２は、枠ＩＤを受け取ると、一本化端末１３に現在再生中のＣＭ枠の情報を表示させる（ステップ５８）。
【００４５】
また、アンシラリデータ分離部１９が、枠データに書き込まれている枠ＩＤ及びＱ３信号を検知した場合、検知した枠ＩＤを送出制御ノード１８へ通知すると共に、Ｑ３信号を検知した旨を送出制御ノード１８へ通知する（ステップ５９）。送出制御ノード１８は、枠ＩＤが通知されると、その枠ＩＤをメモリに記憶し、Ｑ３信号を検知した旨が通知されると、ノンリニアサーバ１１にロールの再生を停止させる。このとき、送出制御ノード１８は、ＣＭ枠の先頭から３秒前で一時停止させる。
【００４６】
続いて、送出制御ノード１８は、コアシステム３０からＣＭ素材を再生する旨の指示が与えられると（ステップ５１０）、ノンリニアサーバ１１にロールの一時停止位置から再生を再開させる（ステップ５１１）。
【００４７】
アンシラリデータ分離部１９は、枠データに書き込まれているＱ４信号を検知した場合、Ｑ４信号を検知した旨を送出制御ノード１８へ通知する（ステップ５１２）。送出制御ノード１８は、Ｑ４信号を検知した旨が通知されると、ノンリニアサーバ１１にロールの再生を終了させる。このとき、送出制御ノード１８は、メモリに記憶された枠ＩＤを全て消去する。また、送出制御ノード１８は、メモリに記憶された枠ＩＤを消去すると、ロールの再生が終了した旨を制御ＣＰＵ１２へ通知する（ステップ５１３）。制御ＣＰＵ１２は、ロールの再生が終了した旨の通知を受けると、再生が終了したロールの次のロールをスタンバイするように、送出制御ノード１８へスタンバイ指示を与える（ステップ５１４）。
【００４８】
さらに、ＣＭ枠を選択して再生する際には、一本化端末１３のユーザは、一本化状況データベースにおける一本化データ一覧を参照し、再生を希望するＣＭ枠を選択し、選択したＣＭ枠のスタンバイ指示を入力する。送出制御ノード１８は、指定ＣＭ枠のスタンバイ指示が入力されると、ノンリニアサーバ１１に記録される指定ＣＭ枠の４秒前に頭出しを行う。そして、送出制御ノード１８は、コアシステム３０からＣＭ素材を再生する旨の指示が与えられると、ノンリニアサーバ１１から頭出しした指定ＣＭ枠を再生させる。
【００４９】
図６及び図７は、ＣＭ一本化システム１０が、ノンリニアサーバ１１に記録されるＣＭ一本化素材を編集する際の図を示す。図６は各構成要素間の信号の流れを示す模式図であり、図７はその際のシーケンス図である。
【００５０】
まず、制御ＣＰＵ１２は、営業放送システム２０から変更のあった一本化データを受け取り（ステップ７１）、一本化状況データベースに記録されている従前の一本化データと比較し、変更があった部分を判断する。制御ＣＰＵ１２は、変更があった部分を一本化端末１３に通知する（ステップ７２）。一本化端末のユーザは、制御ＣＰＵ１２からの通知を参照して、ノンリニアサーバ１１に記録されたロールの編集を行うか否かを判断する。編集を行う場合、ノンリニアサーバ１１に記録されるＣＭ素材の一部を新たな一本化データに則して修正する旨の指示を与える（ステップ７３）。制御ＣＰＵ１２は、修正する旨の指示を受けると、新たなＣＭ素材をノンリニアサーバ１１に記録されているＣＭ素材と入れ換えるようにＣＭ素材サーバ装置１４による制御の予約を行う（ステップ７４）。
【００５１】
ＣＭ素材サーバ装置１４は、制御ＣＰＵ１２の予約に従って、アンシラリデータ挿入部１５に枠データをＣＭ枠毎に挿入させ（ステップ７５）、識別子付加制御ノード１６に各ＣＭ素材へ識別子を付与させ（ステップ７６）、記録制御ノード１７に識別子が付与されたＣＭ素材及び枠データをノンリニアサーバ１１へ記録させる（ステップ７７）。ＣＭ素材サーバ装置１４は、修正が完了すると、一本化端末１３へ修正が完了した旨を通知する（ステップ７８）。
【００５２】
一本化端末１３は、ＣＭ素材サーバ装置１４からの通知を受けると、制御ＣＰＵ１２の一本化状況データベースを更新させる（ステップ７９）。制御ＣＰＵ１２は、一本化状況データベースを更新すると、修正処理が完了した一本化データを営業放送システムへ送出する（ステップ７１０）。このように、ノンリニアサーバに記録されたロールの編集が行われる。なお、上述の編集処理は、ノンリニアサーバ１１からＣＭ素材が送出されている場合であっても実行可能である。
【００５３】
以上のように、上記一実施形態では、ＣＭ一本化を行う際に、一日分のＣＭ素材を放送順序に従ってノンリニアサーバ１１へ記録すると共に、ＣＭ枠毎に一時停止を示すＱ３信号又は再生終了を示すＱ４信号を挿入する。そして、ＣＭ一本化を行ったＣＭ素材をノンリニアサーバ１１から再生する際には、挿入されている枠データをアンシラリデータ分離部１９で分離抽出し、抽出した枠データの内容に応じてノンリニアサーバ１１からのＣＭ素材の再生を制御する。つまり、ＣＭ一本化システム１０は、Ｑ３信号を検知した場合は自動的にＣＭ素材の再生を停止し、Ｑ４信号を検知した場合は自動的にＣＭ素材の再生を終了する。これにより、ＣＭ一本化をしたビデオテープからＣＭ一本化素材を再生するのと同様に、ＣＭ一本化を行ったノンリニアサーバからもＣＭ一本化素材を再生することが可能となる。また、アンシラリデータ挿入部１５及びアンシラリデータ分離部１９とを組み合わることにより、一時停止機能を単独で有しないノンリニアサーバに対してもＣＭ一本化を行うことが可能となる。
【００５４】
また、上記一実施形態では、ＣＭ枠毎にＱ３信号又はＱ４信号を挿入するようにしている。この局間制御信号Ｑ３信号及びＱ４信号は、放送システムの中で頻繁に使用する信号である。したがって、このＱ３信号及びＱ４信号を挿入するアンシラリデータ挿入部１５と、Ｑ３信号及びＱ４信号を分離抽出するアンシラリデータ分離部１９とは、特別な装置ではない。つまり、一般的な装置を用いて本発明の効果を実現することが可能である。なお、ＣＭ素材に挿入されたＱ３信号及びＱ４信号は、アンシラリデータ分離部１９により分離されるため、これらの信号が後段の装置に対して影響を与えることはない。
【００５５】
また、上記一実施形態では、マルチアクセス可能なノンリニアサーバ１１に対してＣＭ一本化を行っている。これにより、ノンリニアサーバ１１に複数のＣＭ一本化素材が記録されている場合であっても、希望するＣＭ一本化素材を選択し、素早く頭出しすることが可能となる。また、同様の理由で、ＣＭ一本化素材における希望のＣＭ枠を選択し、素早く頭出しすることが可能である。これにより、素材送出可能となる送出までの制限時間を短縮することが可能である。
【００５６】
また、上記一実施形態では、営業放送システム２０からの一本化データに変更があった場合は、一本化端末１３からの指示により、ノンリニアサーバ１１に記録されている部分と新たな部分とを差し替えるようにしている。このとき、ノンリニアサーバ１１はランダムアクセスが可能であるため、ＣＭ素材の差し替え処理と、ノンリニアサーバ１１に記録されたＣＭ一本化素材の送出処理とは、それぞれを独立して実行することが可能である。つまり、ノンリニアサーバ１１からＣＭ一本化素材を送出している最中であっても、ＣＭ素材の差し替えを行うことが可能である。すなわち、ビデオテープのように、同一の内容の一本化テープを用意する必要が無くなり、運用者の作業を軽減することが可能である。また、ノンリニアサーバ１１はランダムアクセスが可能であるため、差し替えたＣＭ枠を選択して送出する場合であっても、素早く頭出しすることが可能である。
【００５７】
また、上記一実施形態では、ＣＭ素材に挿入される枠データに、枠ＩＤが書き込まれている。これにより、一本化端末１３において、送出中のＣＭ枠を確認することが可能となる。
【００５８】
したがって、本発明に係るＣＭ一本化システムは、ランダムアクセス可能な記録媒体に対してＣＭ一本化を行い、必要に応じてこの記録媒体からＣＭ一本化素材を再生することができる。
【００５９】
さらに、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６０】
１０…ＣＭ一本化システム
１１…ノンリニアサーバ
１２…制御ＣＰＵ
１３…一本化端末
１４…ＣＭ素材サーバ装置
１５…アンシラリデータ挿入部
１６…ＴＧノード
１７…記録制御ノード
１８…送出制御ノード
１９…アンシラリデータ分離部
１１０…ＴＧ
２０…営業放送システム
３０…コアシステム
【図１】
2010219721.tif 000003
【図２】
2010219721.tif 000004
【図３】
2010219721.tif 000005
【図４】
2010219721.tif 000006
【図５】
2010219721.tif 000007
【図６】
2010219721.tif 000008
【図７】
2010219721.tif 000009